(57)【要約】      （修正有）【課題】摺動部品における軸受面の負荷容量を増大させる構成を用いることで、軸受面の摩擦を低減させるテーパランド軸受を提供する。【解決手段】回転軸を支承する軸受面の円周方向に高くなるテーパ面を含むテーパランドを備え、上記テーパ面の深さが５０μｍ以下であり、上記テーパ面の円周方向の長さを前記テーパランドの円周方向の長さで除したテーパ比が０．５以上０．９以下であることを特徴とする、テーパランド軸受。【選択図】  図２
2014040899.tif 000002
【特許請求の範囲】
【請求項１】
回転軸を支承する軸受面の円周方向に高くなるテーパ面を含むテーパランドと、を備え、
上記テーパ面の深さが１５μｍ以上４５μｍ以下であり、
上記テーパ面の円周方向の長さを前記テーパランドの円周方向の長さで除したテーパ比が０．４以上０．９以下であることを特徴とするテーパランド軸受。
【発明の詳細な説明】
【技術分野】
【０００１】
本発明はテーパランド軸受に関し、より詳しくは、摺動面となる軸受面の円周方向複数箇所にテーパランドが形成されたテーパランド軸受に関する。
【背景技術】
【０００２】
近年、地球温暖化対応や省エネルギーの観点から摺動部品の摩耗低減が求められるようになっている。そのため、摺動部品の摩擦低減に関して様々な研究が行われている。
【０００３】
一方、従来のテーパランド軸受は、以下の特許文献１〜３に開示されている。特許文献１〜３には、軸受面の円周方向複数箇所にテーパランドを備え、軸受面における潤滑油の油膜圧力を増大させるようにしたものが提案されている。
【０００４】
特許文献１のテーパドランド軸受は、テーパ面を円周方向に加えて半径方向に傾斜させ、各テーパ面における内周側に油穴を形成した構成を開示している。特許文献２のテーパードランドスラスト軸受は、テーパードランドスラスト軸受の各隅角部におけるエッジを除去した構成を開示している。特許文献３のテーパランド型スラスト軸受は、軸受面の内周縁に異物排出溝を備えており、潤滑油中の異物は異物排出溝を介して軸受面の外部に排出される構成を開示している。
【０００５】
しかしながら、上述した特許文献１〜３では、摺動部品における軸受面の負荷容量を増大させる設定が不十分であるとともに、衝動部品の摩擦低減に対する対策が不十分であった。
【先行技術文献】
【特許文献】
【０００６】
【特許文献１】特開昭５８−１７２１４号公報
【特許文献２】特開昭６０−１８６１４号公報
【特許文献３】実開平５−７３３１５号公報
【発明の概要】
【発明が解決しようとする課題】
【０００７】
本発明は上記課題に鑑みてなされたものであり、軸受面の摩擦を低減させるテーパランド軸受を提供することを目的とする。
【課題を解決するための手段】
【０００８】
本発明者らは、最適なテーパランド形状、例えば、テーパ部分の深さ、テーパランド全体の長さとテーパ部分の長さとの比が負荷容量を最大となるような組み合わせを見出した。
【０００９】
本発明の一実施例に係るテーパランド軸受は、回転軸を支承する軸受面の円周方向に高くなるテーパ面を含むテーパランドと、を備え、上記テーパ面の深さが１５μｍ以上４５μｍ以下であり、上記テーパ面の円周方向の長さを前記テーパランドの円周方向の長さで除したテーパ比が０．４以上０．９以下であることを特徴とするテーパランド軸受。
【発明の効果】
【００１０】
本発明によれば、摺動部品における軸受面の負荷容量を増大させるように設定することで、軸受面の摩擦を低減させるテーパランド軸受を提供することができる。
【図面の簡単な説明】
【００１１】
【図１】本発明の一実施例に係るテーパランド軸受を示す平面図である。
【図２】図１の矢印ＩＩ方向から見たテーパランド軸受の要部を示す側面図である。
【図３】（ａ）は、テーパ比と負荷容量との関係を示す図であり、（ｂ）は、テーパ深さと負荷容量との関係を示す図であり、（ｃ）は、テーパランドの数と負荷容量との関係を示す図である。
【図４】試験対象となったテーパランド軸受のテーパランド形状を示す図である。
【図５】図４に示す各テーパランド軸受について摩擦トルクを計測した試験機を示す概略断面図である。
【図６】図５の試験機による試験パターンを示す図である。
【図７】図５における第１のテーパランド軸受と第５の平面軸受に関する摩擦トルクの推移を示す図である。
【図８】図４の各供試サンプルのテーパランド軸受について、トルクピークが発生した時の軸受特性数を示す図である。
【発明を実施するための形態】
【００１２】
以下、図面を参照して、本発明の実施例を詳細に説明する。なお、本実施例では、テーパランド軸受について説明するが、本発明に係るテーパランド軸受はこれに限定されない。
【００１３】
図１は、本発明の一実施例に係るテーパランド軸受１を示す平面図である。図２は、図１の矢印ＩＩ方向から見たテーパランド軸受１の要部を示す側面図である。
【００１４】
図１及び図２に示すように、テーパランド軸受１は環状をした金属の板状部材によって構成されている。テーパランド軸受１は、相手軸である回転軸２の端面２Ａを支承し、かつ、回転軸２の端面２Ａと摺動するテーパランド軸受１の軸受面１Ａを備えている。図１及び図２に示すように、テーパランド軸受１の軸受面１Ａには、円周方向複数箇所に等ピッチで６箇所のテーパランド１Ｂが形成されているが、テーパランド１Ｂは、軸受面１Ａの負荷容量を増大させるように設定して、軸受面の摩擦を低減させることができれば、円周方向複数箇所に等ピッチでなくてもよく、６箇所に限定しなくてもよい。
【００１５】
ここで、図１及び図２に示すように、テーパランド軸受１の相手軸となる回転軸２は矢印方向に回転されるようになっている。そして、テーパランド軸受１の各テーパランド１Ｂには、回転軸２の回転方向側にテーパ面１Ｃが形成され、このテーパ面１Ｃに隣接して平坦な平坦面１Ｄが形成されている。
【００１６】
本実施例においては、各テーパランド１Ｂのテーパ面１Ｃは、円周方向において回転軸２の回転方向側が最も深くなるテーパ面となり、テーパ面１Ｃの深さｈ（最大深さ）は５０μｍ以下に設定されている。テーパ面１Ｃの深さｈが５０μｍを超えると、テーパランド軸受１の負荷容量が小さくなり、テーパランド軸受１が相手軸の接触が発生して、焼付きが発生してしまうため好ましくない。また、テーパランド１Ｂの円周方向の長さをＬ１とし、テーパ面１Ｃの円周方向の長さをＬ２としたときに、Ｌ２をＬ１で除して得られるテーパ比（Ｌ２／Ｌ１）は０．５以上０．９以下に設定されている。テーパ比が０．５以上０．９以下の範囲を外れると、テーパランド軸受１の負荷容量が小さくなり、テーパランド軸受１が相手軸の接触が発生して、焼付きが発生してしまうため好ましくない。
【００１７】
なお、本発明の実施例では、最適なテーパランド１Ｂ形状として、テーパ面１Ｃの深さｈを４５μｍ以下、テーパ比を０．５以上０．９以下に設定しているが、この設定に限定されず、摺動部品におけるテーパランド軸受１の軸受面１Ａの負荷容量を増大させるように設定して、軸受面の摩擦を低減させることができれば、テーパランド１Ｂ形状はそれぞれ変更することができる。
【００１８】
本発明の実施例に係るテーパランド軸受１が回転装置の所要箇所に装着されると、相手軸となる回転軸２の端面２Ａが軸受面１Ａにより支承されるようになり、支承された状態で回転軸２が矢印方向に回転されるようになっている。このように回転軸２が矢印方向に回転されて、回転軸２の端面２Ａとテーパランド軸受１の軸受面１Ａとが摺動する際には、テーパランド軸受１の内周部から軸受面１Ａに潤滑油が供給される。そのため、軸受面１Ａには潤滑油の油膜が形成されて、この油膜を介して回転軸２の端面２Ａは軸受面１Ａに支承されるようになっている。そのため、軸受面１Ａの平坦面１Ｄと回転軸２の端面２Ａとが隔てた間隔が潤滑油の油膜の厚さｔとなる。
【００１９】
そして、本実施例のテーパランド軸受１における各テーパランド１Ｂは上述した寸法設定となっているので、軸受面１Ａの負荷容量を最大にすることができ、後述する試験結果からも明らかなように、その他の構成の軸受と比較して回転軸２の端面２Ａと摺動する際の軸受面１Ａの摩擦を低減させることができるようになっている。
【００２０】
前述したように、本実施例に係るテーパランド軸受１は、軸受面１Ａに円周方向に等ピッチで６箇所のテーパランド１Ｂが形成されており、テーパ面１Ｃの深さｈは１０μｍ以上４５μｍ以下に設定され、さらにテーパ比（Ｌ２／Ｌ１）は０．５以上０．９以下に設定されている。このようなテーパランド軸受１の寸法設定は、テーパランド１Ｂのテーパ面１Ｃの深さｈ、及びテーパ比ｒに着目し、テーパランド１Ｂのテーパ面１Ｃの深さｈ、及びテーパ比ｒの負荷容量Ｙが最大となる値を算出した。その上で、算出したこれらの２つの要素において、負荷容量Ｙが最大となる値に設定されたテーパランド軸受１を製作し、そのテーパランド軸受１をその他の構成からなる複数の軸受とともに、摩擦トルクの違いに関して試験を行った。
【００２１】
その試験結果において、上述した寸法設定のテーパランド軸受１が負荷容量Ｙが最大となったので、本実施例においては、テーパランド軸受１を上述した寸法設定にしたものである。
【００２２】
以下、テーパランド軸受１のテーパランド１Ｂのテーパ面１Ｃの深さｈ、及びテーパ比ｒの算出方法及び算出したテーパランド１Ｂの数ｘ、テーパランド１Ｂのテーパ面１Ｃの深さｈ、及びテーパ比ｒの負荷容量Ｙが最大となる値に設定されたテーパランド軸受１を製作し、そのテーパランド軸受１をその他の構成からなる複数のテーパランド軸受とともに、摩擦トルクの違いに関する試験の詳細と試験結果について説明する。
【００２３】
テーパランド１Ｂのテーパ面１Ｃの深さｈ、及びテーパ比ｒに関して負荷容量Ｙが最大となる値を算出するためのテーパランド軸受寸法と算出条件は以下のように設定する。
【００２４】
テーパランド軸受の内径を６１．１ｍｍ、テーパランド軸受の外径を８２．６ｍｍ、回転速度を５００ｒｐｍ、潤滑油の粘度を３．７４ｃＰ、潤滑油の密度を８５０ｋｇ／ｍ３、油膜厚さｔを１μｍとした。なお、テーパランド軸受の内径を６１．１ｍｍ、テーパランド軸受の外径を８２．６ｍｍに設定したが、本発明は、これに限定されない。例えば、テーパランド軸受の内径及び外径は、テーパランド１Ｂのテーパ比ｒ及びテーパ面１Ｃの深さｈの負荷容量Ｙが最大となれば範囲は限定されないが、テーパランド軸受の内径を３０ｍｍ〜７０ｍｍ、テーパランド軸受の外径を４０ｍｍ〜１１０ｍｍとしてもよい。
【００２５】
上記のテーパランド軸受１を用いて、遠心力を考慮したレイノルズ方程式を基に流体潤滑解析により、先ず、油膜厚さｔを１μｍとした時のテーパランド１つ当たりの油膜圧力を算出する。そして、この油膜圧力とテーパランド１Ｂの数の積をテーパランド軸受全体の負荷容量Ｙと定義した。このように、流体潤滑解析による負荷容量をＹとし、テーパ比をｒ、テーパ面の深さをｈ及びテーパランドの数をｘとして重回帰分析で近似式化した。そして、この近似式から負荷容量Ｙが最大となるテーパ比をｒ、テーパ面の深さをｈ及びテーパランドの数ｘを求めた。
【００２６】
図３（ａ）は、テーパ比ｒと負荷容量Ｙに関する算出結果であり、（ｂ）は、テーパ深さｈと負荷容量Ｙに関する算出結果であり、（ｃ）は、テーパランドの数ｘと負荷容量Ｙに関する算出結果である。図３（ａ）に示すように、算出した結果として負荷容量Ｙが最大となるのは、テーパ比ｒは０．５以上０．９以下となり、図３（ｂ）に示すように、テーパ面の深さｈは５０μｍ以下となった。図３（ｃ）に示すテーパランドの数ｘは、
【００２７】
以上の算出結果を踏まえて、テーパ比ｒ、テーパランド１Ｂのテーパ面１Ｃの深さｈ及びテーパランド１Ｂの数ｘにおいて負荷容量Ｙが最大となった寸法でテーパランド軸受１を製作し、それと他の寸法で製作したテーパランド軸受とについて、摩擦トルクに関する試験を行った。
【００２８】
図４は、試験対象となった５個のテーパランド軸受のテーパランド形状を示す図である。この図４において、第１の供試サンプルが本実施例のテーパランド軸受であり、第５の供試サンプルは、軸受面全域が平坦面となった軸受である。
【００２９】
次に、図５は、上記図４に示す各テーパランド軸受について摩擦トルクを計測した試験機を示す概略断面図である。供試サンプルＳであるテーパランド軸受を試験機の台座１１に装着し、１２０℃に加熱したＡＴＦを台座１１の軸心から毎分１リットル供給する。供試サンプルＳを保持した台座１１にはトーションバ１２が連結されており、このトーションバ１２には歪みゲージ１３が内蔵されている。そして、このトーションバ１２で検知した摩擦トルクを連続的に記録した。
【００３０】
ここで、図６は、試験機による試験パターンを示す図である。図６に示す試験機の試験パターンは、回転される相手軸１４の回転速度を５０００ｒｐｍの一定にし、５００Ｎ／１５ｍｉｎで荷重を６０００Ｎまで増加させている。そして、荷重が６０００Ｎに達したら、荷重を一定のままで回転速度を５０ｒｐｍ／５ｍｉｎで減少させる。この試験パターンにおいては、軸受特性数を段階的に小さくしている。ここで、軸受特性数とは、回転速度×潤滑油粘度／軸受面圧の計算結果として得られる数値を意味している。そして、この試験において、相手軸１４とテーパランド軸受の軸受面の接触が生じると、つまり、潤滑油切れが生じると摩擦トルクのピークが発生する。この摩擦ピークが発生する時の軸受特性数が小さいほど負荷容量が高いことを示し、この値を用いて各供試サンプルＳのテーパランド軸受を比較評価した。
【００３１】
図７は、図４における第１のテーパランド軸受（本実施例のテーパランド軸受）、第５の平面軸受に関する摩擦トルクの推移を示す図である。図７に示すように、第１のテーパランド軸受はトルクピークの発生が抑制されており、他方の平面軸受と比較すると３０％以上も摩擦トルクが低くなっていることがわかる。
【００３２】
図８は、図４の各供試サンプルのテーパランド軸受について、トルクピークが発生した時の軸受特性数を示す図である。この図８に示すように、第１のテーパランド軸受の軸受特性数が最も低くなっている。換言すると、第１のテーパランド軸受の負荷容量が最も高くなっている。これに対して、第２のテーパランド軸受〜第４のテーパランド軸受は、第１のテーパランド軸受よりも負荷容量が低いことが明らかである。また、第５の平面軸受は軸受特性数が最も高くなっており、換言すると、軸受の負荷容量が最も低くなる。
【００３３】
なお、図３（ａ）〜（ｃ）に示したように、算出結果で得られた各設計パラメータの寄与率は、テーパ面の深さｈ、テーパ比の順で高くなり、この寄与率の高さに準じて、摩擦トルクピークが発生する軸受特性数が大きく低下することを確認した。そして、今回の算出結果で求めた各設計パラメータの負荷容量への寄与率は試験結果と相関関係があり、テーパ面の深さｈによる負荷容量への影響が最も大きいことが判明した。
【００３４】
以上のように、上述した試験結果からも明らかなように、本実施例に係るテーパランド軸受１は、軸受面１Ａの負荷容量を最大にすることができ、他の構成の軸受と比較して回転軸２の端面２Ａと摺動する際の軸受面１Ａの摩擦を低減させることができる。そのため、摩擦を低減して回転装置の低燃費化に寄与することが可能なテーパランド軸受１を提供することができる。
【符号の説明】
【００３５】
１…テーパランド軸受、１Ａ…軸受面、１Ｂ…テーパランド、１Ｃ…テーパ面、２…回転軸、２Ａ…端面。
【図１】
2014040899.tif 000003
【図２】
2014040899.tif 000004
【図３】
2014040899.tif 000005
【図４】
2014040899.tif 000006
【図５】
2014040899.tif 000007
【図６】
2014040899.tif 000008
【図８】
2014040899.tif 000009
【図７】
2014040899.tif 000010
【手続補正書】
【提出日】平成24年9月7日(2012.9.7)
【手続補正１】
【補正対象書類名】明細書
【補正対象項目名】０００９
【補正方法】変更
【補正の内容】
【０００９】
本発明の一実施例に係るテーパランド軸受は、回転軸を支承する軸受面の円周方向に高くなるテーパ面を含むテーパランドと、を備え、上記テーパ面の深さが５０μｍ以下であり、上記テーパ面の円周方向の長さを前記テーパランドの円周方向の長さで除したテーパ比が０．５以上０．９以下であることを特徴とするものである。
【手続補正２】
【補正対象書類名】明細書
【補正対象項目名】００１７
【補正方法】変更
【補正の内容】
【００１７】
なお、本発明の実施例では、最適なテーパランド１Ｂ形状として、テーパ面１Ｃの深さｈを５０μｍ以下、テーパ比を０．５以上０．９以下に設定しているが、この設定に限定されず、摺動部品におけるテーパランド軸受１の軸受面１Ａの負荷容量を増大させるように設定して、軸受面の摩擦を低減させることができれば、テーパランド１Ｂ形状はそれぞれ変更することができる。
【手続補正３】
【補正対象書類名】明細書
【補正対象項目名】００２０
【補正方法】変更
【補正の内容】
【００２０】
前述したように、本実施例に係るテーパランド軸受１は、軸受面１Ａに円周方向に等ピッチで６箇所のテーパランド１Ｂが形成されており、テーパ面１Ｃの深さｈは５０μｍ以下に設定され、さらにテーパ比（Ｌ２／Ｌ１）は０．５以上０．９以下に設定されている。このようなテーパランド軸受１の寸法設定は、テーパランド１Ｂのテーパ面１Ｃの深さｈ、及びテーパ比ｒに着目し、テーパランド１Ｂのテーパ面１Ｃの深さｈ、及びテーパ比ｒの負荷容量Ｙが最大となる値を算出した。その上で、算出したこれらの２つの要素において、負荷容量Ｙが最大となる値に設定されたテーパランド軸受１を製作し、そのテーパランド軸受１をその他の構成からなる複数の軸受とともに、摩擦トルクの違いに関して試験を行った。
【手続補正４】
【補正対象書類名】特許請求の範囲
【補正対象項目名】全文
【補正方法】変更
【補正の内容】
【特許請求の範囲】
【請求項１】
回転軸を支承する軸受面の円周方向に高くなるテーパ面を含むテーパランドと、を備え、
上記テーパ面の深さが５０μｍ以下であり、
上記テーパ面の円周方向の長さを前記テーパランドの円周方向の長さで除したテーパ比が０．５以上０．９以下であることを特徴とするテーパランド軸受。